(57)【要約】      （修正有）【課題】大規模なバッチ生産に適合しスピーディーに正確に組立られ、生産コストを下げることができ、生産効率をアップできる電気コネクタを提供する。【解決手段】この電気コネクタは絶縁本体１００、第１端子３１０、第２端子３２０、及び絶縁載置体２００を包含し、絶縁本体の上面に複数の第１端子溝が開設され、第１端子は該第１端子溝に対応し嵌設され、絶縁本体の下面に複数の第２端子溝が開設され、第２端子は該第２端子溝に対応し嵌設され、第２端子は第２端子溝より伸出する接触部３２２を具え、絶縁載置体は載置板体を包含し、載置板体の一端より支持体２２０が突伸し、支持体に貫通孔が開設され、載置板体に該貫通孔と連通する収容溝が開設され、絶縁本体が貫通孔２２３に通されて並びに収容溝内に固定される。載置板体の一端に凹溝２１３が開設され、第２端子の接触部が該凹溝に嵌合する。本電気コネクタの組立はスピーディーで正確であり、且つ大規模のバッチ生産に適合し、生産コストを下げる。【選択図】図２
0003157681.tif 000002
【実用新案登録請求の範囲】
【請求項１】
電気コネクタにおいて、
絶縁本体であって、上面に複数の第１端子溝が開設され、下面に複数の第２端子溝が開設された、該絶縁本体と、
該第１端子溝中に嵌設される第１端子と、
該第２端子溝中に嵌設され、該第２端子溝より伸出する接触部を具えた第２端子と、
絶縁載置体であって、載置板体を包含し、該載置板体の一端より支持体が突伸し、該支持体に貫通孔が開設され、該載置板体に該貫通孔と連通する収容溝が開設され、該絶縁本体が該貫通孔に通されて並びに該収容溝内に固定され、該載置板体の一端に凹溝が開設され、該第２端子の該接触部が該凹溝中に嵌合する、該絶縁載置体と、
を包含したことを特徴とする電気コネクタ。
【請求項２】
請求項１記載の電気コネクタにおいて、該絶縁本体の一端が折り曲げられ突伸して保持部が形成され、該保持部に両側に向けて突伸する突起が形成され、該絶縁載置体の該支持体に該突起と嵌合する嵌合口が開設されたことを特徴とする電気コネクタ。
【請求項３】
請求項２記載の電気コネクタにおいて、該支持体の下端面に該保持部を収容する溝口が開設され、該溝口が該貫通孔と連通することを特徴とする電気コネクタ。
【請求項４】
請求項３記載の電気コネクタにおいて、該載置板体の収容溝に外向きに延伸された載置部が形成され、該凹溝が該載置部に開設され、該第２端子の接触部は絶縁本体の該突起と反対の端部にあって絶縁本体の下端面より絶縁本体の上面に向けて折り曲げられ延伸され、並びに該凹溝中に嵌合されることを特徴とする電気コネクタ。
【請求項５】
請求項４記載の電気コネクタにおいて、該載置部と該絶縁本体の自由端は歯状に嵌合することを特徴とする電気コネクタ。
【請求項６】
請求項５記載の電気コネクタにおいて、該支持体の下面に該載置部に沿って延伸された嵌合片が形成され、該嵌合片と該載置板体の間に嵌合区が形成されたことを特徴とする電気コネクタ。
【請求項７】
請求項６記載の電気コネクタにおいて、金属ケースをさらに包含し、該金属ケースは該絶縁本体と一部の絶縁載置体を被覆し且つその下端面は嵌合区に嵌合することを特徴とする電気コネクタ。
【請求項８】
請求項１記載の電気コネクタにおいて、該第１端子が該絶縁本体表面より露出する連接部を具えたことを特徴とする電気コネクタ。
【考案の詳細な説明】
【技術分野】
【０００１】
本考案は一種のコネクタに係り、特に電子器材間の電気コネクタに関する。
【背景技術】
【０００２】
科学技術の不断の発展に伴い、各種の電子製品の間及びその周辺装置の間の接続はますます複雑となり、電子製品とその周辺装置の間の電気による接続は非常に一般的となり、これにより電気コネクタの使用率は増加している。電気コネクタは電子領域で広く応用され、これにより電気コネクタの生産は元来の小規模生産から次第に大規模なバッチ生産へと変化している。また電子製品のリニューアルも日進月歩であり、伝送速度も不断にアップし、これにより要求に対応する電気コネクタの伝送速度もそれに応じてアップされなければ電子製品の間の高速データ伝送を実現できない。電気コネクタの伝送速度アップにより、その構造も複雑となり、これにより早期の伝送速度が低く且つ構造が簡単な電気コネクタに使用されていた組立方法では、このような伝送速度が高い電気コネクタをバッチ生産することはできない。このため、各メーカーは電気コネクタの構造を改善して組立ステップを簡易化してスピーディーに組立られるようにし、生産コストを下げられるようにするため、各種の方法を工夫している。
【考案の概要】
【考案が解決しようとする課題】
【０００３】
本考案の目的は、上述の問題に対して、大規模なバッチ生産に適合しスピーディーに正確に組立られ、生産コストを下げることができ、生産効率をアップできる、一種の電気コネクタを提供することを課題としている。
【課題を解決するための手段】
【０００４】
上述の目的を実現するため、本考案の電気コネクタは絶縁本体、第１端子、第２端子、及び絶縁載置体を包含し、絶縁本体の上面に複数の第１端子溝が開設され、第１端子は該第１端子溝に対応し嵌設され、絶縁本体の下面に複数の第２端子溝が開設され、第２端子は該第２端子溝に対応し嵌設され、第２端子は第２端子溝より伸出する接触部を具え、絶縁載置体は載置板体を包含し、載置板体の一端より支持体が突伸し、支持体に貫通孔が開設され、載置板体に該貫通孔と連通する収容溝が開設され、絶縁本体が貫通孔に通されて並びに収容溝内に固定され、載置板体の一端に凹溝が開設され、第２端子の接触部が該凹溝に嵌合する。
【考案の効果】
【０００５】
本考案の電気コネクタの端子はそれぞれ絶縁本体の上面と下面の端子溝内に嵌合され、且つ載置板体の一端より支持体が突伸し、支持体に載置板体の収容溝と連通する貫通孔が開設され、これにより、絶縁本体が貫通孔を通り収容溝内に嵌合されることで、絶縁本体が強固に収容溝内に固定されて電気コネクタの組立作業が完成し、これにより、電気コネクタの組立がスピーディーで正確であり、組立過程で大量の労力と物力を節約し、メーカーに資源を節約させ、電気コネクタの生産コストを下げ、同時に生産効率を高める。
【図面の簡単な説明】
【０００６】
【図１】本考案電気コネクタの実施例の立体図である。
【図２】図１の電気コネクタの立体分解図である。
【図３】図１の電気コネクタの別角度から見た立体分解図である。
【図４】図１の電気コネクタの金属ケースで被覆された構造表示図である。
【考案を実施するための形態】
【０００７】
本考案の技術内容、構造特徴及びその達成する目的と効果は、以下に実施例と結びつけ及び図面を組み合わせて詳細に説明される。
【０００８】
図１を参照されたい。本考案の電気コネクタは絶縁本体１００、第１端子３１０、第２端子３２０、絶縁載置体２００を包含し、第１端子３１０及び第２端子３２０はそれぞれ絶縁本体１００に嵌設され、且つ絶縁本体１００、第１端子３１０、第２端子３２０は一体に絶縁載置体２００に嵌合固定される。
【０００９】
具体的には、図２及び図３を参照されたい。該絶縁本体１００は保持部１１０と端子板１２０を包含し、該保持部１１０は端子板１２０の末端より垂直に下向きに延伸されている。端子板１２０の上面に複数の第１端子溝１２１が開設され、端子板１２０の下面に複数の第２端子溝１２２が開設され、且つ第１端子溝１２１と第２端子溝１２２はいずれも前後に端子板１２０を貫通し並びに垂直に延伸されて保持部１１０を上下に貫通する。そのうち、第１端子溝１２１の折り曲げ部分近くが両側に向けて内に凹まされて凹口１２３が形成されている。保持部１１０の両側面にそれぞれ外向きに突伸する突起１１１が形成されている。
【００１０】
第１端子３１０は第１固定部３１１、連接部３１２及び第１ソルダー部３１３で構成され、且つ連接部３１２は第１固定部３１１に対して上向きに突出する。第１固定部３１１と連接部３１２は端子板１２０の上面の第１端子溝１２１内に嵌合固定され、且つ連接部３１２は上向きに端子板１２０の表面より突出し、外部コネクタの接続端子との接続に便利とされている。第１ソルダー部３１３は保持部１１０の第１端子溝１２１内に嵌合固定され、且つ第１ソルダー部３１３は下向きに保持部１１０より突出し、外部回路板へのソルダリングに便利とされる。第１固定部３１１と第１ソルダー部３１３の連接部分に、第１端子溝１２１に設けられた凹口１２３と組み合わされる凸塊３１４が両側に向けて突伸するように形成され、凸塊３１４と凹口１２３は嵌合され、これにより、第１端子３１０がさらに強固に絶縁本体１００に固定される。
【００１１】
第２端子３２０は第２固定部３２１、接触部３２２及び第２ソルダー部３２３で構成される。第２固定部３２１は端子板１２０の下面の第２端子溝１２２内に嵌合固定される。第２ソルダー部３２３は保持部１１０の第２端子溝１２２内に固定され、且つ第２ソルダー部３２３は保持部１１０より下向きに突伸し、外部回路板とのソルダリングに便利である。第２固定部３２１と接触部３２２の連接部分は折り曲げられて折り曲げ部３２４が形成され、接触部３２２を第２固定部３２１に対して上向きに突出させ、且つ接触部３２２は絶縁本体１００の自由端１２４より伸出して外部コネクタの接続端子との接続に便利とされる。本実施例中、第２端子３２０と絶縁本体１００の間の嵌合をさらに強固とするため、第２固定部３２１は折り曲げ形状に設置してもよく、同時に端子板１２０の下面の第２端子溝１２２もそれに対応する形状に設置する。
【００１２】
絶縁載置体２００は載置板体２１０と載置板体２１０の一端より上下に突伸するように形成された支持体２２０を包含する。載置板体２１０には絶縁本体１００を収容固定するための収容溝２１１が開設され、収容溝２１１の一端は前向きに突伸して載置部２１２を形成している。載置部２１２に凹溝２１３が開設され、第２端子３２０は絶縁本体１００の下面より絶縁本体１００の上面に向けて折り曲げられて延伸され並びに接触部３２２が凹溝２１３中に嵌合される。載置部２１２と収容溝２１１の連接部分の端面は鋸歯状を呈し、該端面は互い違いに配置された突出部２１４と嵌入部２１５で構成され、嵌入部２１５と凹溝２１３は連通し、嵌入部２１５に第２端子３２０の折り曲げ部３２４が嵌合し並びに接触部３２２の凹溝２１３内への嵌入を案内する。且つ絶縁本体１００の自由端１２４と該端面の突出部２１４及び嵌入部２１５は相互に接触し嵌合し、絶縁本体１００の過度の押し込みによる第２端子３２０の折り曲げ部３２４の損壊を防止する。
【００１３】
支持体２２０に収容溝２１１に連通する貫通孔２２３が開設され、絶縁本体１００の端子板１２０は貫通孔２２３を通過して収容溝２１１内に固定される。支持体２２０の下面に貫通孔２２３と連通する溝口２２４が開設され、溝口２２４は絶縁本体１００の保持部１１０に嵌合しそれを収容する。支持体２２０の両側面に保持部１１０の突起１１１と嵌合する嵌合口２２１が形成され、嵌合口２２１と突起１１１の嵌合により、絶縁本体１００が収容溝２１１と溝口２２４内に固定され、絶縁本体１００の後ろ向きの脱出を防止し、これにより、絶縁本体１００を強固に絶縁載置体２００に取り付けられる。支持体２２０の下面に載置部２１２に沿って嵌合片２２２が形成され、嵌合片２２２と載置板体２１０の間に嵌合区２２５が形成される。また、支持体２２０の上面に内向きに凹んだ二つの嵌合溝２０１が形成されている。
【００１４】
図４に示されるように、本考案の電気コネクタはさらに金属ケース４００を包含し、金属ケース４００は絶縁本体１００と絶縁載置体２００の載置板体２１０を被覆し、且つ金属ケース４００の一端に開口４２０が開設され、開口４２０と絶縁載置体２００の載置部２１２は金属ケース４００の同一端に位置し、これにより、接触部３２２と連接部３１２がいずれも開口４２０と同一側に位置し、外部コネクタが該開口４２０を通り電気コネクタと接続するのに便利である。金属ケース４００の上表面と両側面にそれぞれ内向きに突伸する嵌合舌部４１０が設けられ、嵌合舌部４１０は絶縁載置体２００の嵌合溝２０１と嵌合口２２１と嵌合し、これにより絶縁本体１００と絶縁載置体２００が金属ケース４００と緊密に接合される。金属ケース４００は部品を被覆して外界からの損壊されるのを防止するだけでなく、外部電場の第１端子３１０と第２端子３２０に対する静電影響を遮断する。
【００１５】
以下に、図２から図４を組み合わせて本考案の電気コネクタの組立過程について説明する。まず、第１端子３１０を取り付ける。第１端子３１０の第１固定部３１１と第１ソルダー部３１３をそれぞれ端子板１２０と保持部１１０の第１端子溝１２１内に嵌め込み、且つ第１ソルダー部３１３を下向きに保持部１１０より伸出させ、凸塊３１４を凹口１２３内に嵌合させ、並びに第１端子３１０の連接部３１２を第１端子溝１２１より上向きに突出させる。その後、第２端子３２０を取り付ける。すなわち、第２端子３２０の第２固定部３２１と第２ソルダー部３２３を端子板１２０と保持部１１０の第２端子溝１２２内に嵌め込み、且つ第２ソルダー部３２３を保持部１１０より下向きに伸出させ、並びに接触部３２２を端子板１２０の自由端１２４より伸出させる。さらに、絶縁本体１００、第１端子３１０、及び第２端子３２０を一体に絶縁載置体２００に取り付け、絶縁本体１００を押動して端子板１２０を貫通孔２２３に通し、端子板１２０の自由端１２４を載置板体２１０の嵌入部２１５と突出部２１４と歯状に噛み合わせ、これと同時に保持部１１０を溝口２２４内に収容し、並びに保持部１１０の突起１１１を嵌合口２２１内に嵌入させ、このほか、第２端子３２０の折り曲げ部３２４を嵌入部２１５内に嵌入させ、その接触部３２２を載置部２１２の凹溝２１３内に嵌入させる。最後に、絶縁本体１００と絶縁載置体２００を金属ケース４００で被覆すると共に、嵌合舌部４１０を絶縁載置体２００の嵌合溝２０１と嵌合口２２１と嵌合させる。こうして本考案の電気コネクタの組み合わせが完成し、外部コネクタは開口４２０を通り電気コネクタと接続されて、電気コネクタの機能を実現する。
【００１６】
上述したように、本考案の電気コネクタの組立過程中、スピーディーに便利に絶縁本体１００を絶縁載置体２００に取り付けることができ、且つ両者の間を、突起１１１と嵌合口２２１の係合により強固に結合させることができる。これにより、本考案の電気コネクタは組立過程で大量の人力と物力を節約でき、メーカーに資源を節約させ、電気コネクタの生産コストを減らすと共に、生産効率をアップする。
【符号の説明】
【００１７】
１００  絶縁本体              １１０  保持部
１１１  突起                  １２０  端子板
１２１  第１端子溝            １２２  第２端子溝
１２３  凹口                  １２４  自由端
２００  絶縁載置体            ２０１  嵌合溝
２１０  載置板体              ２１１  収容溝
２１２  載置部                ２１３  凹溝
２１４  突出部                ２１５  嵌入部
２２０  支持体                ２２１  嵌合口
２２２  嵌合片                ２２３  貫通孔
２２４  溝口                  ２２５  嵌合区
３１０  第１端子              ３１１  第１固定部
３１２  連接部                ３１３  第１ソルダー部
３１４  凸塊                  ３２０  第２端子
３２１  第２固定部            ３２２  接触部
３２３  第２ソルダー部        ３２４  折り曲げ部
４００  金属ケース            ４１０  嵌合舌部
４２０  開口
【図１】
0003157681.tif 000003
【図２】
0003157681.tif 000004
【図３】
0003157681.tif 000005
【図４】
0003157681.tif 000006